(57)【要約】【課題】低コストで操作性の向上を図ることのできる携帯端末装置を提供する。【解決手段】筐体５に弾性体２により支持された画像を表示する可動の表示部１と、表示部１の操作による移動によって開閉する操作スイッチ３とを備え、表示部１に表示されるアイコン１ｂを押下することによって表示部１が傾斜し、アイコン１ｂの背面に配された操作スイッチ３をＯＮできるようにした。【選択図】      図１
2004312319.tif 000002
【特許請求の範囲】
【請求項１】
画像を表示する可動の表示部と、前記表示部の操作による移動によって開閉する操作スイッチとを備えたことを特徴とする携帯端末装置。
【請求項２】
前記表示部を弾性体により支持したことを特徴とする請求項１に記載の携帯端末装置。
【請求項３】
前記表示部を傾斜可能に枢支したことを特徴とする請求項２に記載の携帯端末装置。
【請求項４】
前記表示部がスライド移動できることを特徴とする請求項２に記載の携帯端末装置。
【請求項５】
前記操作スイッチを前記表示部の背面に固着したことを特徴とする請求項１〜請求項４のいずれかに記載の携帯端末装置。
【請求項６】
前記表示部の背面に対峙する回路基板を設け、前記操作スイッチを前記回路基板に固着したことを特徴とする請求項１〜請求項４のいずれかに記載の携帯端末装置。
【請求項７】
前記操作スイッチと接離する突起部を前記表示部の背面に設けたことを特徴とする請求項６に記載の携帯端末装置。
【請求項８】
可能な操作を通知する通知部を前記表示部に表示し、前記通知部の操作に対応する前記操作スイッチを前記通知部近傍の背面に配置したことを特徴とする請求項１〜請求項７のいずれかに記載の携帯端末装置。
【発明の詳細な説明】
【０００１】
【発明の属する技術分野】
本発明は、表示部及び操作部を有する携帯電話機等の携帯端末装置に関する。
【０００２】
【従来の技術】
携帯電話機に代表される携帯端末装置は小型化が要求されるとともに多くの機能を操作する必要がある。このため、小さいスペースに配置された各操作キーに複数の機能を割り当てて実行できるようになっている。その結果、目的の機能を使用するために多くのキー操作を必要とし、操作性が悪い問題があった。特に、今後益々機能が増加されると更に操作性が悪くなるため、操作性向上のニーズが高くなっている。
【０００３】
特許文献１には、情報を表示する表示部にタッチパネルを配置した携帯端末装置が開示されている。この携帯端末装置は可能な操作を表示画面にアイコン表示してアイコンを押圧することにより対応する機能を実行することができる。これにより、限られたスペースで多くの機能を少ない操作で行うことができ、操作性の向上を図ることができる。また、表示画面に表示されたアイコンを押圧して対応する操作が行われるので操作を直感的に容易に判断して実行することができる。従って、操作性をより向上させることができるようになっている。
【０００４】
【特許文献１】
特開２００２−３３３９５１号公報（第４頁−第９頁、第７図）
【０００５】
【発明が解決しようとする課題】
しかしながら、上記特許文献１に開示された携帯端末装置によると、タッチパネルを搭載するため携帯端末装置が高価になる問題があった。また、操作毎に表示部内のカーソル位置等の座標を演算するため処理時間がかかり迅速に動作させることができない問題もあった。
【０００６】
本発明は、低コストで操作性の向上を図ることのできる携帯端末装置を提供することを目的とする。
【０００７】
【課題を解決するための手段】
上記目的を達成するために本発明は、画像を表示する可動の表示部と、前記表示部の操作による移動によって開閉する操作スイッチとを備えたことを特徴としている。この構成によると、表示部を手指等で移動させると操作スイッチが開閉して該操作スイッチに割り当てられた機能が実行される。
【０００８】
表示部をゴムやバネ等の弾性体により支持することにより、表示部の傾斜移動やスライド移動を容易に実現することができる。表示部を軸支して一平面内でのみ回動可能にして傾斜させてもよい。操作スイッチは表示部の背面または表示部に対峙する回路基板に固着することができる。また、アイコン等から成る通知部によって可能な操作を表示部に表示して通知し、通知した操作に対応する操作スイッチを通知部近傍の背面に配置すると、直感的に所望の機能を実行することができる。
【０００９】
【発明の実施の形態】
以下に本発明の実施形態を図面を参照して説明する。図１、図２は第１実施形態の携帯電話機の表示部周辺を示す斜視図及び側面断面図である。操作メニュー等の画像を表示する表示部１は液晶パネルや有機ＥＬ等から成り、携帯電話機の筐体５に形成された開口部５ａに臨んで配置される。
【００１０】
表示部１の周部には合成ゴムやシリコンゴム等から成る弾性体２の一面が貼着され、弾性体２の他面は筐体５の開口部５ａの周縁に貼着されている。これにより、表示部１が上下移動可能に支持される。表示部１がスライド移動しないように上下方向に案内するガイドを設けても良い。表示部１の背面の４隅には突起部１ａが設けられている。携帯電話機の回路基板４は表示部１の背面に対峙して配され、突起部１ａに対向する位置に操作スイッチ３が固着されている。
【００１１】
図３は表示部１の表示画面の一例を示す図である。表示部１には、カメラ操作や電子メールの送受信等の可能な操作を通知するアイコン（通知部）１ｂが４隅に表示される。使用者は数字キー等を有する操作部（不図示）に設けられた十字キー（不図示）を操作して表示部１に表示されるカーソル１ｃを例えば右上の「カメラ」のアイコン１ｂ上に配置する。そして、十字キーの押下によってカメラ操作を行うことができる。
【００１２】
また、破線Ａで示すように「カメラ」のアイコン１ｂが表示される表示部１の右上部分を手指により押下すると、表示部１が傾斜して対応する操作スイッチ３（図１、図２参照）が押下される。これにより、上記と同様にカメラ操作を行うことができる。即ち、表示部１に表示されたアイコン１ｂの近傍を押下することによってアイコン１ｂが示す操作を行うことができる。
【００１３】
従って、傾斜移動可能な表示部１と操作スイッチ３によって多くの操作キーを設けることなく多くの操作を行うことができる携帯電話機を安価に得ることができる。また、アイコン１ｂに表示した操作に対応する操作スイッチ３が該アイコン１ｂ近傍の背面側に配されるので、操作方法を直感的に容易に判断して操作を実行することができる。
【００１４】
操作スイッチ３は上記と異なる位置に配置してもよい。例えば、図４に示すように表示部１の略中央部に操作スイッチ３を配置して、アイコン１ｂを操作スイッチ３と平面的に見て略同じ位置に表示してもよい。また、図５に示すように、表示部１の４辺の略中央部に複数の操作スイッチ３を配置してもよい。
【００１５】
また、図６の第２実施形態に示すように、筐体５の開口部５ａに嵌合するように表示部１を配置すると携帯電話機の美観を向上させることができるのでより望ましい。
【００１６】
次に、図３は第３実施形態の携帯電話機の表示部１の近傍を示す側面断面図である。本実施形態は弾性体２が表示部１と回路基板４との間に配されている。その他の部分は第１実施形態と同一である。弾性体２はバネ、合成ゴム、シリコンゴム等から成り、表示部１が上下移動可能になっている。このような構成によっても第１実施形態と同様の効果を得ることができる。
【００１７】
次に、図８、図９は第４実施形態の携帯電話機の表示部１の周辺を示す斜視図及び側面断面図である。表示部１は回路基板４に固着された支柱６により枢支されている。これにより、図１０に示すように、表示部１が支軸６ａを中心に矢印Ｂの方向に回動して傾斜移動可能になっている。
【００１８】
表示部１の支軸６ａに対して両側の１箇所づつのコーナーには、背面側に操作スイッチ３が配されている。また、表示部１の支軸６ａに対して両側には背面側の少なくとも１箇所づつにバネ、合成ゴム、シリコンゴム等から成る弾性体２が固着されている。これにより、傾斜した表示部１が元の位置に戻るようになっている。
【００１９】
本実施形態によると、第１、第２実施形態と同様に表示部１に表示されたアイコン１ｂの近傍を押下することによって所定の操作を行うことができる。また、表示部１が一平面内でのみ回動するため２つの操作スイッチ３が同時に押下されることを防止することができる。
【００２０】
次に、図１１は第５実施形態の携帯電話機の表示部１の周辺を示す斜視図である。本実施形態は前述の図１に示す第１実施形態と同様に、表示部１は周部に貼着された合成ゴムやシリコンゴム等から成る弾性体２によって筐体５に取り付けられている。表示部１に手指でＣ１、Ｃ２方向に力を加えると、弾性体２が剪断力を受けて弾性変形する。これにより、表示部１をＣ１、Ｃ２方向にスライドさせることができる。
【００２１】
操作スイッチ３は表示部１の突起部１ａに対してＣ１、Ｃ２方向に所定距離離れて配置されており、表示部１をスライド移動させることによって操作スイッチ３を開閉することができる。これにより、第１実施形態と同様の効果を得ることができる。表示部１をＤ１、Ｄ２方向に移動して操作スイッチ３を開閉できるようにしてもよく、互いに直交するＣ１、Ｃ２方向とＤ１、Ｄ２方向とに移動して操作スイッチ３を開閉できるようにしてもよい。
【００２２】
次に図１２は第６実施形態の携帯電話機の表示部１の周辺を示す斜視図である。本実施形態は前述の図８に示す第４実施形態と同様に構成され、表示部１の背面に操作スイッチ３を固着するとともに、回路基板４の操作スイッチ３に対向する位置に突起部４ａを設けている。このような構成においても第４実施形態と同様の効果を得ることができる。第１〜第３実施形態及び第５実施形態においても同様に表示部１に操作スイッチ３を設けて回路基板４に突起部４ａを設けても良い。
【００２３】
尚、第２〜第６実施形態において図４、図５に示す第１実施形態と同様に操作スイッチ３を異なる配置にしてもよい。また、第１〜第６実施形態は携帯電話機について説明しているが、ＰＤＡ（Ｐｅｒｓｏｎａｌ  Ｄｉｇｉｔａｌ  Ａｓｓｉｓｔａｎｔｓ）や携帯型ゲーム機等の他の携帯端末装置であってもよい。
【００２４】
【発明の効果】
本発明によると、移動可能な表示部と表示部の操作による移動によって開閉する操作スイッチとを設けたので、多くの操作キーを設けることなく多くの操作を行うことができる携帯端末装置を安価に得ることができる。また、表示部を弾性支持することによって可動の表示部を簡単に実現することができる。更に、通知部に表示した操作に対応する操作スイッチが通知部の表示位置近傍の背面側に配されるので、操作方法を直感的に容易に判断して操作を実行することができる。
【図面の簡単な説明】
【図１】は、本発明の第１実施形態の携帯電話機の表示部を示す斜視図である。
【図２】は、本発明の第１実施形態の携帯電話機の表示部を示す側面断面図である。
【図３】は、本発明の第１実施形態の携帯電話機の表示部の表示画面を示す図である。
【図４】は、本発明の第１実施形態の携帯電話機の操作スイッチの他の配置を示す平面図である。
【図５】は、本発明の第１実施形態の携帯電話機の操作スイッチの他の配置を示す平面図である。
【図６】は、本発明の第２実施形態の携帯電話機の表示部を示す側面断面図である。
【図７】は、本発明の第３実施形態の携帯電話機の表示部を示す側面断面図である。
【図８】は、本発明の第４実施形態の携帯電話機の表示部を示す斜視図である。
【図９】は、本発明の第４実施形態の携帯電話機の表示部を示す側面断面図である。
【図１０】は、本発明の第４実施形態の携帯電話機の表示部の動作を示す斜視図である。
【図１１】は、本発明の第５実施形態の携帯電話機の表示部を示す斜視図である。
【図１２】は、本発明の第６実施形態の携帯電話機の表示部を示す斜視図である。
【符号の説明】
１      表示部
１ａ、４ａ  突起部
１ｂ    アイコン（通知部）
２      弾性体
３      操作スイッチ
４      回路基板
５      筐体
６      支柱
【図１】
2004312319.tif 000003
【図２】
2004312319.tif 000004
【図３】
2004312319.tif 000005
【図４】
2004312319.tif 000006
【図５】
2004312319.tif 000007
【図６】
2004312319.tif 000008
【図７】
2004312319.tif 000009
【図８】
2004312319.tif 000010
【図９】
2004312319.tif 000011
【図１０】
2004312319.tif 000012
【図１１】
2004312319.tif 000013
【図１２】
2004312319.tif 000014